(57)【特許請求の範囲】
【請求項１】
車両の操作可能な部位に対応した車両情報が電子的に記録されるとともに、これらの車両情報がディスプレイ上に表示可能となされた記録媒体からなる車両用電子マニュアルであって、
前記車両情報が、目次の選択と選択された車両の部位の位置やその部位の解説内容を表示する静止画情報と、車内の各部位を、３６０度の視野で連続的に表示するとともに、いずれかの部位が選択されるとその選択された部位の解説を動画および音声によって行う動画情報との組み合わせによって構成され、
前記静止画情報または前記動画情報による解説が、前記ディスプレイ上において選択可能となされている
ことを特徴とする車両用電子マニュアル。
【請求項２】
前記動画情報が、前記車両に搭載されているナビゲータシステムの操作方法であることを特徴とする請求項１に記載の車両用電子マニュアル。
【請求項３】
前記ナビゲータシステムが、前記ディスプレイを２分割して個別の情報を表示するようになされているとともに、前記動画情報が、前記２分割表示をさせるための操作方法であることを特徴とする請求項２に記載の車両用電子マニュアル。
【請求項４】
車両用マニュアルに掲載すべき車両情報を決定し、これらの車両情報を階層状に組み上げた後に、各車両情報に対応した音声による解説を作成し、これらの車両情報と音声による解説とを合成してデータ化し、ついで、このデータを記録媒体に対応したデータに変換した後に、この記録媒体に記録を行ってマスター記録媒体を作成し、このマスター記録媒体に基づき、配布可能な複製物を作成する車両用電子マニュアルの製造方法であって、
前記車両情報が、目次の選択と選択された車両の部位の位置やその部位の解説内容を表示する静止画情報と、車内の各部位を、３６０度の視野で連続的に表示するとともに、いずれかの部位が選択されるとその選択された部位の解説を動画および音声によって行う動画情報との組み合わせによって構成され、
前記静止画情報または前記動画情報による解説が、前記ディスプレイ上において選択可能となされている
ことを特徴とする車両用電子マニュアルの製造方法。
【発明の詳細な説明】
【０００１】
【発明の属する技術分野】
本発明は、車両、たとえば、乗用車の各部位やその操作方法を説明するためのマニュアルに係わり、特に、可視的な情報によって前述した乗用車の各部位やその操作方法を説明するようにした車両用電子マニュアルおよびその製造方法に関する。
【０００２】
【従来の技術】
従来、車両には、その各部位やその操作方法を説明するために、マニュアル本が添付されている。
そして、ユーザが、目的とする部位の位置やその操作方法を知るには、目次等からその部位に関する説明のなされた頁を検索するといった作業を行っている。
【０００３】
【発明が解決しようとする課題】
しかしながら、このような従来のマニュアル本によると、実車感覚がないこと、また、文章による説明であることから解りづらいといった問題点がある。
【０００４】
本発明は、このような従来の問題点に鑑みてなされたもので、画像と音声とによって車両の部位の位置やその操作方法を示すことによって、より簡便にかつより深くこれらを理解させることの可能な車両用電子マニュアルおよびその製造方法を提供することを目的とする。
【０００５】
【課題を解決するための手段】
本発明の請求項１に記載の車両用電子マニュアルは、前述した目的を達成するために、車両の操作可能な部位に対応した車両情報が電子的に記録されるとともに、これらの車両情報がディスプレイ上に表示可能となされた記録媒体からなる車両用電子マニュアルであって、前記車両情報が、目次の選択と選択された車両の部位の位置やその部位の解説内容を表示する静止画情報と、車内の各部位を、３６０度の視野で連続的に表示するとともに、いずれかの部位が選択されるとその選択された部位の解説を動画および音声によって行う動画情報との組み合わせによって構成され、前記静止画情報または前記動画情報による解説が、前記ディスプレイ上において選択可能となされていることを特徴とする。
本発明の請求項２に記載の車両用電子マニュアルは、請求項１に記載の前記動画情報が、前記車両に搭載されているナビゲータシステムの操作方法であることを特徴とする。
本発明の請求項３に記載の車両用電子マニュアルは、請求項２に記載の前記ナビゲータシステムが、前記ディスプレイを２分割して個別の情報を表示するようになされているとともに、前記動画情報が、前記２分割表示をさせるための操作方法であることを特徴とする。
本発明の請求項４に記載の車両用電子マニュアルの製造方法は、車両用マニュアルに掲載すべき車両情報を決定し、これらの車両情報を階層状に組み上げた後に、各車両情報に対応した音声による解説を作成し、これらの車両情報と音声による解説とを合成してデータ化し、ついで、このデータを記録媒体に対応したデータに変換した後に、この記録媒体に記録を行ってマスター記録媒体を作成し、このマスター記録媒体に基づき、配布可能な複製物を作成する車両用電子マニュアルの製造方法であって、前記車両情報が、目次の選択と選択された車両の部位の位置やその部位の解説内容を表示する静止画情報と、車内の各部位を、３６０度の視野で連続的に表示するとともに、いずれかの部位が選択されるとその選択された部位の解説を動画および音声によって行う動画情報との組み合わせによって構成され、前記静止画情報または前記動画情報による解説が、前記ディスプレイ上において選択可能となされていることを特徴とする。
【０００６】
【発明の実施の形態】
以下、本発明の一実施形態について図面を参照して説明する。
本実施形態における車両用電子マニュアルは、車両の種々の部位やその操作方法に関する車両情報を、デジタル情報としてＣＤ−ＲＯＭやＤＶＤ−ＲＯＭ等に記録してなるもので、パーソナルコンピュータや車載のナビゲータシステムでの再生が可能となされている。
【０００７】
図１は、この車両用電子マニュアルをパーソナルコンピュータや車載のナビゲータシステムに挿入した際にディスプレイ上に表示されるトップメニューを示す。
【０００８】
このトップメニューには、車両の操作可能な部位に対応した車両情報が表示されている。
図示例においては、前記車両情報を大きくまとめた、目次としての、「車を運転する前に」についての車両情報１、「車を運転するときに」についての車両情報２、「安全装備」についての車両情報３、「シートアレンジ」についての車両情報４、「ドライブを快適にする装備」についての車両情報５、「ナビゲーションシステム」についての車両情報６、「万一のとき」についての車両情報７、「車の手入れ」についての車両情報８、「サービスデータ」についての車両情報９とが表示されている。
また、その上部には、上位の車両情報を表示するメニュー領域１０と、車両情報の表示形態を選択する目次ボタン１１、ビジュアル目次ボタン１２、および、車両の部位や操作方法を指定して表示させるための索引ボタン１３が設けられている。
そして、これらの車両情報１〜９、あるいは、各ボタン１１〜１３は、テキストや静止画像によって構成されており、パーソナルコンピュータのカーソルやナビゲーションシステムのポインタによって選択されるようになされている。
【０００９】
ここで、車両情報１の「車を運転する前に」を選択すると、図２に示すように、その下位の情報として、「シートアレンジ」、「正しい運転姿勢・シートベルト」、「お子さまに思いやりを」のメニューが表示され、これらのメニューの上方に設けられたメニュー領域１０に、メニューのテキストが表示される。
【００１０】
これより、シートアレンジのメニューを選択した場合について説明すると、図３に示すように、車の種類が表示され、７人乗りの車種を選択すると、図４に示す画面が表示される。
この画面においては、７人乗りの車種においてセット可能なシートアレンジがイラストによって表示され、ユーザは、セット可能なシートアレンジが一目で理解できる。
このような表示画面において、前記メニュー領域１０には、図３に示す上位の表示画面における車両情報が表示されており、メニュー領域１０に表示されたメニューを選択することによって、上位の車両情報へ戻ることができるようになっている。
【００１１】
このような操作は、図１に示すトップメニューにおいて表示された車両情報１〜９のそれぞれにおいて同様に行われる。
【００１２】
一方、前記ビジュアル目次１２を選択すると、図５に示すように、「インストルメンタルパネル」、「前席付近」、「室内」、および、「外観」の各車両情報に対応した選択ボタン１４〜１７が表示される。
【００１３】
ここで、「インストルメンタルパネル」を選択すると、図６に示すように、収納されている解説の内容を表示する画面が表示されるが、これらの各解説内容を直接選択することによってその解説を表示させることができるが、下方に設けられている「バーチャルインデックスへ」のバーチャルボタン１８を選択すると、動画による解説が行われる。
【００１４】
すなわち、前記バーチャルボタン１８を選択すると、図７に示すように、動画表示領域Ｖが表示される。
ここで、この動画表示領域Ｖを上下左右の何れかにドラッグすると、その方向に車内の視野が変化する。
たとえば、右方向にドラッグすると、表示画面が、図８ないし図１０に示すように、運転席側ドアの内側から後部座席付近、さらに、前部座席左側へと変化する。
図示例では、その視野の変化を区切って示したが、室内の３６０度の視野が連続して表示されるようになっている。
【００１５】
そして、このような室内の視野を設定した後に、所望の部位を選択すると、その選択された部位に関する解説画面が表示されるようになっている。
【００１６】
このようなバーチャルボタン１８の操作によって、実際の車内の状況を確認しつつ車両の部位を選択することができるので、容易にその部位を選択することができるとともに、その部位に関する解説を簡便に引き出すことができる。
【００１７】
つぎに、トップメニューにおいて、「万一のとき」の車両情報７を選択した場合について説明する。
この選択により、画面表示が、図１１に示すように、非常時における対策メニューに変わる。
【００１８】
ここで、けん引ボタン１９を選択した場合について説明すると、表示画面が、図１２に示すように、けん引する場合とけん引される場合との選択画面に変わる。
そして、けん引する場合が選択されると、図１３および図１４に示すように、動画表示領域Ｖにおいて、車両の後部画面が表示されるとともに音声による解説が開始され、この車両後部に設けられた蓋体２０の位置が示されるとともに、この蓋体２０を取り外す操作が動画によって示される。
【００１９】
ついで、図１５に示すように、前記蓋体２０を取り外した際に露出されるボルト２１にけん引用のフック２２をねじ込んで固定し、このフック２２にけん引ロープ２３を固定するまでの作業が動画によって示され、その後に、図１２の画面に戻る。
【００２０】
また、図１２においてけん引されるときが選択された場合には、動画表示領域Ｖが、図１６に示すように、車両のフロントバンパー近傍を表示し、けん引のための操作が動画によって表示されるとともに音声による解説が開始される。
【００２１】
すなわち、図１６に示すように、フロントバンパーの下部を取り外す操作と、固定に用いられているボルト２４の種類や本数の解説が行われ、図１７に示すように、前記フロントバンパーを取り外した際に露出するフック２５へけん引ロープ２６を固定する作業が動画と音声とによって示される。
【００２２】
さらに、トップメニューにおいてナビゲーションシステムに関する車両情報６が選択されると、図１８に示すように、ナビゲーションシステムの操作に関する表示に切り替わる。
２画面表示ボタン２７が選択された場合について説明すると、この選択操作によって、動画表示領域Ｖに、図１９に示すように、ナビゲーションシステムの操作パネル２８が表示され、実際の操作状況が動画と音声によって示される。
ここでは、ナビゲーションシステムのディスプレイが２分割されて、一方の画面には、２次元的な地図上での車両の走行位置が示され、他方の画面には、実写に基づく走行方向前方の景色が表示されるようになっている。
【００２３】
そして、このような本実施形態に係わる車両用電子マニュアルは、車両用マニュアルに掲載すべき車両情報を決定し、これらの車両情報を階層状に組み上げた後に、各車両情報に対応した音声による解説を作成し、これらの車両情報と音声による解説とを合成してデータ化し、ついで、このデータを記録媒体に対応したデータに変換した後に、この記録媒体に記録を行ってマスター記録媒体を作成し、このマスター記録媒体に基づき、配布可能な複製物を作成することによって製造される。
【００２４】
このように、本発明によれば、画像と音声とによって車両の部位の位置やその操作方法を示すことによって、より簡便にかつより深くこれらを理解させることができる。
【００２５】
なお、前記実施形態において示した車両情報の種類等は、適用する車両の種類等に基づき種々変更可能である。
【００２６】
【発明の効果】
以上説明したように、本発明によれば、車両の操作可能な部位に対応した車両情報が電子的に記録されるとともに、これらの車両情報がディスプレイ上に表示可能となされた記録媒体からなる車両用電子マニュアルであって、前記車両情報が、車両の各部位または各部位の状態を表示する静止画情報と、これらの各部位の操作方法を表示する動画情報との組み合わせによって構成されているとともに、各車両情報に対応した音声による解説が組み合わされてなり、かつ、前記車両情報が、前記ディスプレイ上において選択可能となされていることを特徴とするもので、画像と音声とによって車両の部位の位置やその操作方法を示すことによって、より簡便にかつより深くこれらを理解させることができる。
【図面の簡単な説明】
【図１】本発明の一実施形態を起動した状態を示す表示画面である。
【図２】本発明の一実施形態を起動した状態を示す表示画面である。
【図３】本発明の一実施形態を起動した状態を示す表示画面である。
【図４】本発明の一実施形態を起動した状態を示す表示画面である。
【図５】本発明の一実施形態を起動した状態を示す表示画面である。
【図６】本発明の一実施形態を起動した状態を示す表示画面である。
【図７】本発明の一実施形態を起動した状態を示す表示画面である。
【図８】本発明の一実施形態を起動した状態を示す表示画面である。
【図９】本発明の一実施形態を起動した状態を示す表示画面である。
【図１０】本発明の一実施形態を起動した状態を示す表示画面である。
【図１１】本発明の一実施形態を起動した状態を示す表示画面である。
【図１２】本発明の一実施形態を起動した状態を示す表示画面である。
【図１３】本発明の一実施形態を起動した状態を示す表示画面である。
【図１４】本発明の一実施形態を起動した状態を示す表示画面である。
【図１５】本発明の一実施形態を起動した状態を示す表示画面である。
【図１６】本発明の一実施形態を起動した状態を示す表示画面である。
【図１７】本発明の一実施形態を起動した状態を示す表示画面である。
【図１８】本発明の一実施形態を起動した状態を示す表示画面である。
【図１９】本発明の一実施形態を起動した状態を示す表示画面である。
【符号の説明】
１  車両情報
２  車両情報
３  車両情報
４  車両情報
５  車両情報
６  車両情報
７  車両情報
８  車両情報
９  車両情報
１０  メニュー領域
１１  目次ボタン
１２  ビジュアル目次ボタン
１３  索引ボタン
１４  選択ボタン
１５  選択ボタン
１６  選択ボタン
１７  選択ボタン
１８  バーチャルボタン
１９  けん引ボタン
２０  蓋体
２１  ボルト
２２  フック
２３  けん引ロープ
２４  ボルト
２５  フック
２６  けん引ロープ
２７  ２画面表示ボタン
２８  操作パネル
Ｖ  動画表示領域
【図１】
0003629201.tif 000002
【図２】
0003629201.tif 000003
【図３】
0003629201.tif 000004
【図４】
0003629201.tif 000005
【図５】
0003629201.tif 000006
【図６】
0003629201.tif 000007
【図７】
0003629201.tif 000008
【図８】
0003629201.tif 000009
【図９】
0003629201.tif 000010
【図１０】
0003629201.tif 000011
【図１１】
0003629201.tif 000012
【図１２】
0003629201.tif 000013
【図１３】
0003629201.tif 000014
【図１４】
0003629201.tif 000015
【図１５】
0003629201.tif 000016
【図１６】
0003629201.tif 000017
【図１７】
0003629201.tif 000018
【図１８】
0003629201.tif 000019
【図１９】
0003629201.tif 000020